(57)【要約】      （修正有）【課題】複数本の真円形状パイプからなるシャフトの長さ調節を的確に行える位置決め構造を提供する。【解決手段】１は真円形状の上パイプ１０と下パイプ２０からなる杖などのシャフトであり、下パイプ２０は上パイプ１０の内側に挿入されている。上パイプ１０には下部に複数の調節孔１１が穿設され、下パイプ２０の上部に取り付けた弾性突子２１が調節孔１１と係合する。弾性突子２１は下パイプ２０内側に固定したバネ２１ａと一体的に形成され、バネ２１ａにより外方に向け付勢されていて調節孔１１と合致したときに上パイプ１０より突出する。【選択図】図１
0003156465.tif 000002
【実用新案登録請求の範囲】
【請求項１】
真円形状の上パイプと、上パイプ内に挿通される下パイプでシャフトが構成され、上パイプの下部に穿った複数の調節孔に、下パイプの上部に設けた弾性突子が係合すると下パイプが上パイプに固定されるシャフトの長さ位置決め装置であって、弾性突子と同一水平面状の下パイプ外周面に、上パイプの前記調節孔から視認可能な有色線条を備えてなることを特徴とするシャフトの長さ位置決め装置。
【考案の詳細な説明】
【技術分野】
【０００１】  本考案は、複数本のパイプからなるシャフトの長さ位置決め装置に関する。
【背景技術】
【０００２】  一本のシャフトで形成されたステッキ、スキーストック、テントポールなどは長さが決まっているので体型やテントの大きさに応じた長さのものを数種類用意してその中から適当なものを選ぶことになるが、複数パイプで構成したシャフトは体型等に応じて長さを調節できるため数種類のものを用意する必要がないという利点がある。ところでこのような複数パイプのシャフトには、いずれかのパイプに数カ所調節孔が形成され、それと嵌合するパイプの側に調節孔と係合する弾性突子が設けられていて、弾性突子が合致する調節孔の位置によってシャフト全体の長さ設定をすることができるというものが知られている（例えば特許文献１、２参照）。
【先行技術文献】
【特許文献】
【０００３】
【特許文献１】登録実用新案第３０２１５４８号公報
【特許文献２】登録実用新案第３０５３８２６号公報
【考案の概要】
【考案が解決しようとする課題】
【０００４】  特許文献１に記載されたものは、小径パイプが大径パイプ内に嵌挿可能な２本以上の異径パイプで構成され、異径パイプの断面形状を楕円のような非真円形状となし、大径パイプに穿設した通孔内に、小径パイプに付設したラチェットピンを突出係止できるようにしたことを特徴としている。この技術によると、パイプ相互が真円ではないため小径パイプを大径のパイプに押し込んだときにパイプ同士が回動することがなく、ラチェットピンが自動的に通孔と合致して外方へと突出することができ、パイプの長さ調節がスムースにできることは首肯される。しかしながらこの複数パイプは真円ではないためあらかじめパイプを楕円形状等に形成することを要するのでそのための製作手数がかゝるという問題に加え、楕円形状にしたため強度面での不具合と、見栄えが悪くなる不利、及び直接パイプを把持したときの感触が良好でないなどの懸念を伴っている。【０００５】  特許文献２に記載されたものは、長さ調節可能な杖を構成する各シャフトの周面の長手方向に沿った一面を平面部に構成し、この平面部の長手方向に長さ調節後固定するための複数個の通孔を穿設したことを特徴としたもので、バネによって付勢されたピンを前記通孔に係止するというものである。この技術もシャフトの長手方向に沿って平面部を形成したためシャフト相互が回動せず、押し込んだシャフトのピンが平面部にあけた通孔から間違いなく突出することができるという利点を有するが、シャフトに平面部を形成するという余分な作業を要するのと、平面部が存在することによる強度上の問題など前記特許文献１と同様の懸念がある。【０００６】  本考案はこのような現状に鑑みて創案されたものであり、複数本のパイプが真円形状でであって下部パイプを上部パイプに押し込む際にパイプ同士が回動しても下部パイプに設けた弾性突子が上部パイプの所期する調節孔から容易に突出することのできる位置決め装置を提供しようとするものである。
【課題を解決するための手段】
【０００７】  すなわち本考案は、真円形状の上パイプと、上パイプ内に挿通される下パイプでシャフトが構成され、上パイプの下部に穿った調節孔に、下パイプの上部に設けた弾性突子が係合すると下パイプが上パイプに固定されるシャフトの長さ位置決め装置であって、弾性突子と同一水平面状の下パイプ外周面に、上パイプの前記調節孔から視認可能な有色線条を備えてなることを特徴とする。
【考案の効果】
【０００８】  上パイプには複数個調節孔があり、下パイプを押し込んでその上部に取り付けた弾性突子を所望する調節孔に係合すれば下パイプの位置決めができて所期する長さのシャフトとすることができる。最下部の調節孔に弾性突子が係合したときにシャフト本体は最大長さとなり、最上部の調節孔に弾性突子が係合したときにシャフト本体は最小長さとなる。したがって使用者は弾性突子をどの調節孔に係合すれば適切な長さとすることが出来るかが容易に認識でき、また一旦位置決めしても弾性突子は指先で簡単に押し込むことができるため下パイプを上パイプに沿って摺動させることで適宜の長さに変更できる。上パイプと下パイプはともに断面真円形状のため下パイプは上パイプ内において回動すると下パイプ摺動時（出入時）に弾性突子が必ずしも調節孔に合致しないおそれはあるが、弾性突子と同一平面上にある有色線条が調節孔より視認できるので有色線条を確認してその位置で下パイプを回動すれば弾性突子を所望の調節孔と係合でき、弾性突子の位置決めに腐心する煩わしさがなく、両パイプを非真円状にしたり長手方向に平坦面を形成して回動を抑止するような製作上の手間もかゝらず、シャフト全体が新円形状のため見栄えがよく、把持したときの握り感覚にも違和感を生じることがない。
【図面の簡単な説明】
【０００９】
【図１】シャフトを構成する上下パイプの結合個所を示し、（ａ）は弾性突子が上パイプ内に没入した説明図、（ｂ）は弾性突子が調節孔から突出した説明図である。
【図２】（ａ）は本案下パイプ上部の説明図、（ｂ）は下パイプを上パイプに挿通した説明図である。
【図３】本案装置を杖に実施した一例を示し、（ａ）はシャフトの伸張状態、（ｂ）は収縮状態を示す説明図である。
【考案を実施するための形態】
【００１０】  図面に基づき本考案を実施するための形態につき説明すると、図１において１は真円形状の上パイプ１０と下パイプ２０からなるシャフトであり、下パイプ２０は上パイプ１０の内側に挿入されている。上パイプ１０には下部に複数（図では３カ所）の調節孔１１が穿設され、下パイプ２０の上部に取り付けた弾性突子２１が調節孔１１と係合する。
【００１１】  弾性突子２１は下パイプ２０内側に固定したバネ２１ａと一体的に形成され、バネ２１ａにより外方に向け付勢されていて調節孔１１と合致したときに上パイプ１０より突出する。（ａ）に示すように弾性突子２１が調節孔１１と合致していない状態では上パイプ１０の内面に圧接されて弾性突子２１は下パイプ２０側に没入するが、下パイプ２０を上パイプ１０に向けて押し込むと弾性突子２１が調節孔１１と合致するのでバネ２１ａの付勢により弾性突子２１は調節孔１１から飛び出すので、下パイプ２０は上パイプ１０と確固結合される。調節孔１１は複数個存在するため最上部のものと弾性突子２１が合致したとき、シャフト１の長さは最も短くなり、最下部の調節孔１１に合致したときシャフト１は最大の長さとなる。
【００１２】  上下のパイプ１０・２０は断面が真円形状であり、下パイプ２０は上パイプ１０内で回動可能となるため没入した弾性突子２１がどの位置にあるかは不分明となるが、本考案では図２（ａ）のように弾性突子２１と同一水平面状の下パイプ２０の外周面に有色線条２２を備えることにして、弾性突子２１の位置を遅滞なく確認できるようにした。すなわち長さ調節にあたり下パイプ２０を摺動すると有色線条２２がいずれかの調節孔１１と一致することが分かる。例えば（ｂ）の点線で示した個所に弾性突子２１があっても、調節孔１１からは有色線条２２が視認されるとその位置で下パイプ２０を左右いずれかに回動すれば弾性突子２１は自ずから調節孔１１と係合して突出するので上下パイプ１０・２０の調節ができてシャフト１の長さの位置決めができる。有色線条２２は当然ながら上下パイプ１０・２０とは異なる色彩で調節孔１１から視認しやすいものとすればよい。
【００１３】  図３は本考案を杖に実施した一例を示している。（ａ）は弾性突子２１を最下部の調節孔１１に係合してシャフト１の長さを最大に設定した状態であって身長の高い杖利用者に適し、（ｂ）は下パイプ２０を最上部の調節孔１１に係合してシャフト１の長さを短く設定したことで身長の短い杖利用者に適する。同様の使い方はスキーストックのように直接シャフトをつかんでプレイするスポーツ用具は当然として、テントのポールなどで長さ調節を要する多段式のシャフトにも利用でき、広範な用途に供することが可能である。
【００１４】  なお図示し説明したものは一例であって、調節孔１１の個数・形状、弾性突子２１・バネ２１ａの構造、その他有色線条２２の色合いなどに限定がないこと勿論であり、また上下パイプ１０・２０に構造上の付加事項を設けることも本考案の目的・効果を奏する範囲であれば自由な実施の範疇に属するものである。
【符号の説明】
【００１５】１    シャフト
１０  上パイプ
１１  調節孔
２０  下パイプ
２１  弾性突子
２２  有色線条
【図１】
0003156465.tif 000003
【図２】
0003156465.tif 000004
【図３】
0003156465.tif 000005